(57)【要約】【課題】  医用画像撮影装置を用いた検査の流れをより円滑なものにすることが可能な検査支援システム及び医用画像撮影装置を提供する。【解決手段】  本実施の形態の検査支援システム１は、検査室Ｒ１に設置され、被検者６を撮像して医用画像を生成する医用画像撮影装置（スキャナ２）と、被検者６に対して検査に関する情報を提供する情報提供装置（モニタＡ、モニタＢ）と、スキャナ２、モニタＡ、及びモニタＢの動作を制御する操作卓４（システム制御装置４０１）と、を備え、システム制御装置４０１は、スキャナ２において実行する各検査の開始、終了、または検査の流れに連動して、モニタＡ及びモニタＢにて提供する情報の内容を切り替える。【選択図】図１
2011177326.tif 000002
【特許請求の範囲】
【請求項１】
検査室に設置され、被検者を撮像して医用画像を生成する医用画像撮影装置と、
前記被検者に対して検査に関する情報を提供する情報提供装置と、
前記医用画像撮影装置及び前記情報提供装置に通信接続され、前記医用画像撮影装置及び前記情報提供装置の動作を制御するシステム制御装置と、を備えた検査支援システムであって、
前記システム制御装置は、前記医用画像撮影装置において実行する検査の開始、終了、または検査の流れに連動して、前記情報提供装置で提供する情報の内容を切り替える切替制御手段を備えることを特徴とする検査支援システム。
【請求項２】
前記情報提供装置は、
前記医用画像撮影装置本体に取り付けられる第１情報提供手段であることを特徴とする請求項１に記載の検査支援システム。
【請求項３】
前記情報提供装置は、
前記検査室の外で検査を待つ被検者が視聴可能な第２情報提供手段であることを特徴とする請求項１に記載の検査支援システム。
【請求項４】
前記情報提供装置が、前記医用画像撮影装置本体に取り付けられる第１情報提供手段と、前記検査室の外で検査を待つ被検者が視聴可能な第２情報提供手段と、を含む複数の情報提供手段から構成される場合において、
前記切替制御手段は、各情報提供手段における提供情報の内容を異なるものとすることを特徴とする請求項１に記載の検査支援システム。
【請求項５】
前記第１情報提供手段にて提供される情報は、検査を行う被検者の被検者情報及び検査の内容に応じた情報とし、
前記第２情報提供手段にて提供される情報は、検査開始時刻情報または待ち時間情報を含むものとすることを特徴とする請求項４に記載の検査支援システム。
【請求項６】
前記システム制御装置は、
被検者ＩＤを取得する被検者ＩＤ取得手段と、
前記被検者ＩＤに対応する被検者情報及び検査内容情報を取得する情報取得手段と、
前記被検者ＩＤに対応する被検者情報及び検査内容情報に応じた提供情報を生成する提供情報生成手段と、を備え、
前記切替制御手段は、
前記提供情報生成手段によって生成される提供情報を、前記医用画像撮影装置において実行する検査の開始、終了、または検査の流れに連動して切り替えて提供することを特徴とする請求項１に記載の検査支援システム。
【請求項７】
前記システム制御装置は、
被検者ＩＤを取得する被検者ＩＤ取得手段と、
前記被検者ＩＤに対応する被検者の体格情報及び検査部位情報を取得する情報取得手段と、
前記情報取得手段によって取得した体格情報及び検査部位情報から、前記医用画像撮影装置の寝台の適切な位置を算出し、算出された位置に寝台位置を調整するよう制御する寝台制御手段と、
を更に備えることを特徴とする請求項１に記載の検査支援システム。
【請求項８】
被検者を撮像して医用画像を生成する医用画像撮影手段と、前記被検者に対して検査に関する情報を提供する情報提供手段と、前記医用画像撮影手段及び前記情報提供手段の動作を制御するシステム制御手段と、を備えた医用画像撮影装置であって、
前記システム制御手段は、
前記医用画像撮影手段において実行する検査の開始、終了、または検査の流れに連動して、前記情報提供手段で提供する情報の内容を切り替える切替制御手段を備えることを特徴とする医用画像撮影装置。
【発明の詳細な説明】
【技術分野】
【０００１】
本発明は、検査支援システム及び医用画像撮影装置に係り、医用画像を撮影する医用画像撮影装置を用いた検査の支援に関する。
【背景技術】
【０００２】
従来より、医療の分野では、Ｘ線ＣＴ（Ｃｏｍｐｕｔｅｄ  ｔｏｍｏｇｒａｐｈｙ）装置やＭＲＩ（ｍａｇｎｅｔｉｃ  ｒｅｓｏｎａｎｃｅ  ｉｍａｇｉｎｇ）装置等で撮影した画像を用いた検査が行われている。このような医用画像撮影装置を用いた検査では、検査の直前に医師や技師等が検査前に被検者に対して検査の流れや検査の注意事項、あるいは検査に必要な情報を口頭で説明し、その後に撮影を開始していた。
【０００３】
例えばＸ線ＣＴ装置を用いた検査では、医師や技師等はまず被検者を検査室に招き入れ、被検者に対して口頭で被検者が撮影時にとるべき行動や注意事項を説明し、その後、被検者を寝台に寝かせ、寝台位置を被検者の検査部位及び体格に適した位置に調整し、操作室へ移動し、操作卓を操作して被検者の撮影を行う。撮影終了後は、被検者を退室させ、次の被検者を検査室に招き入れ、同様の作業を繰り返す。また、一般に検査を実施する病院や検査施設では、定められた時間内に多数の被検者の検査を行っている。また多くの場合、Ｘ線ＣＴ装置の数や医師や技師等の操作者の人数は限られている。そのため、予定された撮影のスケジュールは緊密なものとなっていた。
【０００４】
そこで、検査を効率よく行うための方法が種々提案されている。例えば特許文献１では、検査の待ち時間を短縮可能な医用画像撮影システム等が開発されている。特許文献１の医用画像撮影システムは、検査パターン、撮影室の候補、及び平均検査時間等に基づいて各撮影室での待ち時間を予測し、最も少ない待ち時間となるように撮影室を振り分ける。
【先行技術文献】
【特許文献】
【０００５】
【特許文献１】特開２００７−２０２６７８号公報
【発明の概要】
【発明が解決しようとする課題】
【０００６】
しかしながら、上述の医用画像撮影システム等は、個々の検査時間が短縮されるものではなく、医師や技師等の撮影作業自体が軽減されるものでもなかった。そのため、医師や技師等の検査における負担を軽減し、円滑に検査を実施できるような支援システムが要望されている。
【０００７】
本発明は、以上の問題点に鑑みてなされたものであり、医師や技師等の検査における負担を軽減し、検査の流れをより円滑なものにすることが可能な検査支援システム及び医用画像撮影装置を提供することを目的としている。
【課題を解決するための手段】
【０００８】
前述した目的を達成するために第１の発明は、検査室に設置され、被検者を撮像して医用画像を生成する医用画像撮影装置と、前記被検者に対して検査に関する情報を提供する情報提供装置と、前記医用画像撮影装置及び前記情報提供装置に通信接続され、前記医用画像撮影装置及び前記情報提供装置の動作を制御するシステム制御装置と、を備えた検査支援システムであって、前記システム制御装置は、前記医用画像撮影装置において実行する各検査の開始、終了、または検査の流れに連動して、前記情報提供装置で提供する情報の内容を切り替える切替制御手段を備えることを特徴とする検査支援システムである。
【０００９】
第２の発明は、被検者を撮像して医用画像を生成する医用画像撮影手段と、前記被検者に対して検査に関する情報を提供する情報提供手段と、前記医用画像撮影手段及び前記情報提供手段の動作を制御するシステム制御手段と、を備えた医用画像撮影装置であって、前記システム制御手段は、前記医用画像撮影手段において実行する検査の開始、終了、または検査の流れに連動して、前記情報提供手段で提供する情報の内容を切り替える切替制御手段を備えることを特徴とする医用画像撮影装置である。
【発明の効果】
【００１０】
本発明により、医師や技師等の検査における負担を軽減し、検査の流れをより円滑なものにすることが可能な検査支援システム及び医用画像撮影装置を提供できる。
【図面の簡単な説明】
【００１１】
【図１】検査支援システム１の全体構成を示す外観図
【図２】医用画像撮影装置（Ｘ線ＣＴ装置２及び操作卓４）全体のハードウエアブロック図
【図３】検査支援システム１に蓄積される提供情報データベース４１のデータ構成を示す図
【図４】検査支援システム１により生成される提供情報の順序データの構成を示す図
【図５】被検者に関する情報１０のデータ構成を示す図
【図６】検査支援システム１において実行される提供情報生成処理の流れを説明するフローチャート
【図７】検査室Ｒ１のモニタＡにて順次提供される情報の一例を示す図
【図８】待機場所Ｒ３のモニタＢにて順次提供される情報の一例を示す図
【図９】検査支援システム１において実行される提供情報切替処理の流れを説明するフローチャート
【図１０】検査支援システム１において実行される提供情報切替処理の流れを説明するフローチャート
【発明を実施するための形態】
【００１２】
以下、添付図面を参照しながら、本発明の好適な実施形態について詳細に説明する。
【００１３】
まず、図１及び図２を参照して、本実施の形態の検査支援システム１及び医用画像撮影装置の構成を説明する。
図１に示すように、検査支援システム１は、被検者を撮影して医用画像を生成するための投影データを取得する医用画像撮影装置（スキャナ２及び寝台３）と、検査室Ｒ１及び待機場所Ｒ３に設置され、被検者に対して検査に関する情報を提供する情報提供装置（モニタＡ及びモニタＢ）と、スキャナ２に接続されスキャナ２の動作を制御するとともに、モニタＡ及びモニタＢでの提供情報の出力を制御する操作卓４とを備えて構成される。
スキャナ２、寝台３、及びモニタＡは検査室Ｒ１に設置され、モニタＢは待機場所Ｒ３に設置され、操作卓４は、操作室Ｒ２に設置される。
また、検査支援システム１において、操作卓４はネットワーク８を介して施設内外のサーバ９にアクセス可能となっている。また、モニタＢと操作卓４との接続は、ネットワーク８を介した通信接続としてもよいし、外部機器Ｉ／Ｆを介したローカルな通信接続形態としてもよい。
【００１４】
モニタＡは、検査室Ｒ１に入室した被検者が視聴するものである。被検者が入室した時や寝台３に横臥した状態でも視聴できるように、スキャナ２の近傍に設置されるか、スキャナ本体に直接取り付けられることが望ましい。図１は、モニタＡがスキャナ２に直接取り付けられている例を示している。
モニタＢは、検査室Ｒ１での検査を待機する被検者が視聴する情報提供装置であり、ここでは待機場所Ｒ３に設置されるものとする。待機場所Ｒ３では待機する一人または複数の被検者がモニタＢを視聴する。
【００１５】
モニタＡ及びモニタＢは、液晶パネル、ＣＲＴモニタ等のディスプレイ装置と、ディスプレイ装置と連携して表示処理を実行するための論理回路と、音声出力装置とから構成され、操作卓４のシステム制御装置４０１（後述）から送出される提供情報を表示及び音声出力する。
以下の説明では、モニタＡまたはモニタＢにて出力する表示内容及び音声内容を総称して提供情報と呼ぶ。各モニタＡ，Ｂにおける提供情報の具体的な内容については後述する。
【００１６】
なお、本実施の形態では、医用画像撮影装置の好適な一例として、Ｘ線ＣＴ装置について説明するが、これに限定されない。医用画像撮影装置は、ＭＲＩ装置、超音波装置、Ｘ線診断装置、透視撮影装置、ＳＰＥＣＴ装置、ＰＥＴ装置等の様々な医用画像撮影装置に適用できる。
【００１７】
図２に示すように、医用画像撮影装置（Ｘ線ＣＴ装置のスキャナ２）は、Ｘ線管２０１、スキャナ制御装置２０２、コリメータ２０３、開口部２０４、Ｘ線検出器２０５、データ収集装置２０６、回転板２０７、寝台制御装置３０１、情報提供装置２１（モニタＡ）、及び操作部２２から構成される。
操作卓４は、表示装置５、操作装置４０８、システム制御装置４０１、画像演算装置４０２、記憶装置４０３、外部機器Ｉ／Ｆ４０４、通信Ｉ／Ｆ４０５から構成される。操作卓４はスキャナ２、寝台制御装置３０１、及びネットワーク８に通信接続される。
【００１８】
Ｘ線管２０１はＸ線源であり、スキャナ制御装置２０２により制御されて被検者６に対してＸ線を連続的または断続的に照射する。スキャナ制御装置２０２は、システム制御装置４０１により決定されたＸ線管電圧及びＸ線管電流に従って、Ｘ線管２０１に印加または供給するＸ線管電圧及びＸ線管電流を制御する。コリメータ２０３は、Ｘ線管２０１から放射されたＸ線を、例えばコーンビーム（円錐形または角錐形ビーム）等のＸ線として被検者６に照射させるものであり、開口幅はスキャナ制御装置２０２により制御される。被検者６を透過したＸ線はＸ線検出器２０５に入射する。
【００１９】
Ｘ線検出器２０５は、例えばシンチレータとフォトダイオードの組み合わせによって構成されるＸ線検出素子群をチャネル方向（周回方向）に例えば１０００個程度、列方向（体軸方向）に例えば１〜３２０個程度配列したものであり、被検者６を介してＸ線管２０１に対向するように配置される。Ｘ線検出器２０５はＸ線管２０１から放射されて被検者６を透過したＸ線を検出し、検出した透過Ｘ線データをデータ収集装置２０６に出力する。データ収集装置２０６は、Ｘ線検出器２０５に接続され、Ｘ線検出器２０５の個々のＸ線検出素子により検出される透過Ｘ線量を収集し、ディジタルデータに変換し、投影データとして操作卓４の画像演算装置４０２に順次出力する。
【００２０】
回転板２０７には、Ｘ線管２０１、コリメータ２０３、Ｘ線検出器２０５、データ収集装置２０６が搭載される。回転板２０７は、スキャナ制御装置２０２によって制御される図示しない回転板駆動装置から駆動伝達系を通じて伝達される駆動力によって回転される。
【００２１】
スキャナ制御装置２０２は、システム制御装置４０１からの制御信号に従って、スキャナ２内の各部を制御する。スキャナ制御装置２０２は、Ｘ線管２０１、コリメータ２０３、回転板２０７の回転、情報提供装置２１（モニタＡ）、操作部２２を制御する。
操作部２２は、操作キー及びスイッチボタン等を備え、キーまたはボタンの押下信号をスキャナ制御装置２０２に出力する。例えば、モニタＡの表示内容を切り替えるボタン等を含む。
【００２２】
寝台３は、被検者６が載置される天板、上下動装置、及び天板駆動装置から構成され、寝台制御装置３０１に接続される。寝台制御装置３０１は、システム制御装置４０１から送出される制御信号に従って、上下動装置を制御して寝台３の高さを適切なものにする。また、天板駆動装置を制御して天板を体軸方向に前後動したり、体軸と垂直方向であって天板に平行な方向（左右方向）に移動したりする。これにより、被検者６がスキャナ２のＸ線照射空間に搬入及び搬出される。
【００２３】
操作卓４の表示装置５は、液晶パネル、ＣＲＴモニタ等のディスプレイ装置と、ディスプレイ装置と連携して表示処理を実行するための論理回路で構成され、システム制御装置４０１に接続される。表示装置５は画像演算装置４０２から出力される再構成画像、並びにシステム制御装置４０１が取り扱う種々の情報を表示するものであり、操作者が表示内容を閲覧する。
操作装置４０８は、例えば、キーボード、マウス等のポインティングデバイス、テンキー等の入力装置、及び各種スイッチボタン等により構成され、操作者によって入力される各種の指示や情報をシステム制御装置４０１に出力する。操作者は、表示装置５及び操作装置４０８を使用して対話的にＸ線ＣＴ装置１を操作する。
【００２４】
システム制御装置４０１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成される。システム制御装置４０１は、スキャナ２内のスキャナ制御装置２０２を制御し、また、寝台３内の寝台制御装置３０１を制御するものである。
【００２５】
また、システム制御装置４０１は、後述する提供情報生成処理（図６参照）、及び提供情報切替処理（図９、図１０参照）を実行する。提供情報生成処理において、システム制御装置４０１は、被検者ＩＤを取得すると被検者ＩＤに対応する被検者情報及び検査内容情報を例えばサーバ９から取得し、被検者ＩＤに対応する被検者情報及び検査内容情報に応じた提供情報を生成する。また、提供情報切替処理において、システム制御装置４０１は、スキャナ２で実行する検査の開始、終了、または検査の流れに連動して、モニタＡやモニタＢで提供する情報を切り替える。提供情報の生成及び切替えについての具体例等は後述する。
【００２６】
画像演算装置４０２は、システム制御装置４０１の制御によってスキャナ２内のデータ収集装置２０６が収集した透過Ｘ線データを取得し、透過Ｘ線データに対して、対数変換、感度補正等の前処理を行った後、断層像を再構成する。
【００２７】
記憶装置４０３は、ハードディスク等により構成されるものであり、システム制御装置４０１に接続される。記憶装置４０３は、画像演算装置４０２が生成する断層像やＸ線ＣＴ装置１の機能を実現するためのプログラム等を記憶する。
また、図３に示すように、記憶装置４０３は提供情報の基となる表示データファイルや音声データファイルを複数有するデータベース４１を備える。データベース４１には、複数の表示データファイル４３と音声データファイル４５とが記憶される。表示データファイル４３は、文字、静止画、動画等の各種表示データを含み、音声データファイル４５は、案内音声や、効果音、音楽等の各種音声データを含む。これらの表示データファイル４３及び音声データファイル４５は、各段階での提供情報の一部となるものである。すなわち、データベース４１に記憶されている表示データファイル４３と音声データファイル４５とが組み合わされ、また適宜、被検者別の表示情報や音声情報と合成されて、一連の提供情報が生成され、システム制御装置４０１のＲＡＭに保持される。
【００２８】
生成された提供情報は、システム制御装置４０１が生成する切替信号をトリガとして、所定の順序に従ってモニタＡ及びモニタＢに出力される。例えば図４に示す提供情報の順序４７によれば、表示データＤ５と音声データＥ５が組み合わされた提供情報が１番目に出力され、次に表示データＤ７と音声データＥ７が組み合わされた提供情報が２番目に出力され、表示データＤ１１と音声データＥ１１が組み合わされた提供情報が３番目に出力され、表示データＤ１２と音声データＥ１２が組み合わされた提供情報が４番目に出力され、表示データＤ２０と音声データＥ２０が組み合わされた提供情報が５番目に出力される。
【００２９】
なお、提供情報の切替信号は、検査の開始、終了、または検査の流れの各段階で生成される。例えば、切替信号は、被検者ＩＤの入力操作があったとき、寝台の移動指示が入力されたとき、検査の開始指示が入力されたとき、スキャナ２による計測の各段階、検査の終了時のほか、操作装置４０８における所定操作の入力等を含む各タイミングで生成される。
【００３０】
外部機器Ｉ／Ｆ４０４は、周辺装置とのインターフェースであり、通信Ｉ／Ｆ４０５は、通信制御部を含む通信インターフェースである。
【００３１】
サーバ９は、ＣＰＵ、ＲＡＭ，ＲＯＭ、入力装置、表示装置、記憶装置、通信Ｉ／Ｆ等を備えたコンピュータ等により構成され、ネットワーク８を介して、操作卓４に接続される。サーバ９は、医療機関内の情報を管理するＨＩＳ（Ｈｏｓｐｉｔａｌ  Ｉｎｆｏｒｍａｔｉｏｎ  Ｓｙｓｔｅｍ）や放射線科内の情報を管理するＲＩＳ（Ｒａｄｉｏｌｏｇｙ  Ｉｎｆｏｒｍａｔｉｏｎ  Ｓｙｓｔｅｍ）や医用画像を管理するＰＡＣＳ（Ｐｉｃｔｕｒｅ  Ａｒｃｈｉｖｉｎｇ  Ｃｏｍｍｕｎｉｃａｔｉｏｎ）等の各種管理システム等のサーバであってもよい。ネットワーク８は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、インターネット等の各種通信網を含み、医用画像撮影装置２、サーバ９、モニタＢ、その他の情報機器等と操作卓４との通信接続を媒介する。
【００３２】
サーバ９は、複数の被検者に関する情報１０を蓄積して記憶している。
図５は、サーバ９に記憶される被検者に関する情報１０の一例を示している。
サーバ９に記憶される被検者に関する情報１０は、被検者ＩＤ１０ａ、被検者情報１０ｂ、検査内容情報１０ｃ、被検者画像１０ｄ等を含む。
被検者ＩＤ１０ａは、被検者固有の識別情報であり、通常、診察券やカルテ等に記載されるものである。被検者情報１０ｂは、被検者の氏名、年齢、性別、体格情報（身長、体重等）等を含む。検査内容情報１０ｃは、被検者の検査項目、検査部位、検査日時、予約状況等を含む。被検者画像１０ｄは、医用画像撮影装置によって生成された医用画像である。
【００３３】
サーバ９の被検者に関する情報１０は、システム制御装置４０１からの要求に応じてシステム制御装置４０１に送信される。例えば、後述する提供情報生成処理において、被検者ＩＤ１０ａに応じた被検者情報１０ｂ及び検査内容情報１０ｃがシステム制御装置４０１に送信される。
【００３４】
次に、図６〜図１０を参照して、検査支援システム１の動作について説明する。
【００３５】
本実施の形態の検査支援システム１において、操作卓４のシステム制御装置４０１は、図６に示す提供情報生成処理、及び図９、図１０に示す提供情報切替処理を実行する。すなわち、システム制御装置４０１は、記憶装置４０３から上述の各処理に関するプログラム及びデータを読み出し、このプログラム及びデータに基づいて処理を実行する。
【００３６】
まず、図６に示す提供情報生成処理について説明する。
システム制御装置４０１は、検査予約画面を表示装置５に表示して、１日分、または午前、午後等の所定の時間内の検査予定の入力操作を受け付ける。検査予約画面にて、１または複数の被検者ＩＤ１０ａと検査の順番が入力されると（ステップＳ１０１）、システム制御装置４０１は、入力された被検者ＩＤ１０ａに関する被検者情報１０ｂ及び検査内容情報１０ｃの取得をサーバ９に要求する（ステップＳ１０２）。
【００３７】
サーバ９から被検者情報１０ｂ及び検査内容情報１０ｃを取得すると、システム制御装置４０１は各被検者６の検査内容情報に応じたモニタＡ用の表示データ及び音声データをデータベース４１から取得し、これらの表示データ及び音声データを基に、被検者情報１０ｂに応じた提供情報を生成する（ステップＳ１０３）そして、これらの表示内容及び音声内容（提供情報）の順番を、検査の流れや検査の順番に従って並べ替え、提供情報の順序４７として、ＲＡＭに保持する（ステップＳ１０４）。
【００３８】
同様に、システム制御装置４０１は各被検者６の検査内容情報１０ｃに応じたモニタＢ用の表示データ及び音声データをデータベース４１から取得し、これらの表示データ及び音声データを基に、被検者情報１０ｂに応じた提供情報を生成する（ステップＳ１０５）そして、これらの提供情報の順番を、検査の流れや検査の順番に従って並べ、提供情報の順序４７として、ＲＡＭに保持する（ステップＳ１０６）。
以上のようにして提供情報生成処理が終了する。
【００３９】
なお、提供情報生成処理は、検査の実行中に平行して行われても良い。すなわち、システム制御装置４０１は、ある被検者６の検査を行っている際に、別の被検者６の検査予約の入力（被検者ＩＤの入力）を受け付け、新たに入力された被検者６についての提供情報を生成し、既に生成されている提供情報の順序４７の最後に追加してもよい。
また、緊急の検査を追加する場合には、既に生成されている提供情報の順序４７の適当な位置に、新たに入力された被検者６についての提供情報を割り込ませてもよい。
【００４０】
図７は、ある被検者ＩＤ１０ａに対応する被検者情報１０ｂ及び検査内容情報１０ｃに応じて生成された、検査室Ｒ１のモニタＡで提供される提供情報の一例である。
モニタＡの提供情報は、例えば、図７（ａ）〜（ｇ）に示すように、検査の進行に伴ってページ送りされる（切り替えられる）複数のページで構成される。また、被検者毎に異なる内容が生成される。また、検査室Ｒ１への入室から退室までの各段階で案内すべき情報が含まれる。
【００４１】
例えば、図７（ａ）は、ある被検者６が検査室Ｒ１に入室した際の初めに提供される情報である。ＣＴ検査の注意事項として、「金属を身につけないでください。」、「妊娠中の方はお知らせください。」等のメッセージが表示され、また音声出力される。
図７（ｂ）は、図７（ａ）の次に提供される情報である。「○○さん」「本日は、胸部の検査です。」のように、被検者６の氏名や検査内容に応じた内容が表示され、また音声出力される。このとき、被検者６の身長や体重等、体格の情報を表示したり、音声出力したりしてもよい。
図７（ｃ）は、図７（ｂ）の次に提供される情報である。「寝台に寝てください」というメッセージとともに、体位を示す画像が表示される。
【００４２】
図７（ｄ）は、図７（ｃ）の次に提供される情報であり、寝台位置の移動開始の際に提供される。「寝台位置を調整します。寝台が動きます。」というメッセージが表示され、また音声出力される。
図７（ｅ）は、図７（ｄ）の次に提供される情報であり、検査の開始に連動して提供される。「検査を開始します。体を動かさないでください。」というメッセージが表示され、また音声出力される。
【００４３】
図７（ｆ）は、図７（ｅ）の次に提供される情報であり、造影剤注入時に提供される。「造影剤を入れると体が温かくなることがあります。」というメッセージが表示され、また音声出力される。
図７（ｇ）は、図７（ｆ）の次に提供される情報であり、検査終了時に提供される。「検査が終了しました。」というメッセージや、被検者６の次の検査内容に応じた内容「次は、△△の検査です。５階の７番窓口にカルテをお出しください。」等のメッセージが表示され、また音声出力される。
【００４４】
図８は、待機場所Ｒ３のモニタＢにおける提供情報の一例である。
提供情報は図８（ａ）〜（ｅ）に示すように、待機する被検者数や現在の検査の進行に応じて異なる内容が生成される。
例えば、図８（ａ）に示すようなＣＴ検査の注意事項「金属を身につけないでください。」、「妊娠中の方はお知らせください。」等の全てのＣＴ検査に共通のメッセージが表示され、また音声出力される。
図８（ｂ）は、検査の予定情報である。検査の予定や進行に従って検査開始時刻や待ち時間等が随時算出され、再生される。
図８（ｃ）のように、ＣＴ検査の流れを文字、動画、音声等で提供してもよい。
また、図８（ｄ）のように、待機している被検者６の検査内容に応じて、検査での呼吸の仕方等を文字、動画、音声等で提供してもよい。
【００４５】
また、検査室Ｒ１での検査が終了すると、図８（ｅ）に示すように、検査室Ｒ１への入室を促すメッセージが表示、または音声出力される。
なお、待機場所Ｒ３には複数の被検者が集まることから、個々の被検者の個人情報が表示されないように留意すべきである。
【００４６】
次に、図９及び図１０を参照して提供情報切替処理について説明する。
システム制御装置４０１は、各被検者６の検査を実施する際、被検者ＩＤ１０ａの入力を受け付ける。被検者ＩＤ１０ａが入力されると（ステップＳ２０１）、システム制御装置４０１は、モニタＡに検査室入室中の被検者６の検査前提供情報を送信する（ステップＳ２０２）。モニタＡでは、検査前提供情報を再生する（ステップＳ２０３）。例えば、図７（ａ）、（ｂ）、（ｃ）が順次再生される。なお、表示のページ送りは、被検者６がスキャナ２に付属の操作部２２を操作して指示してもよいし、操作者が操作してもよい。
【００４７】
また、システム制御装置４０１は、モニタＢに次の検査以降の被検者のための提供情報を送信する（ステップＳ２０４）。モニタＢでは、送信された提供情報を再生する（ステップＳ２０５）。例えば、図８（ａ）、（ｂ）、（ｃ）、（ｄ）が順次、繰り返し再生される。
【００４８】
なお、モニタＢにて図８（ａ）に示すような一般的な注意事項が提供されている場合には、図７（ａ）に示すような注意事項は重複するためモニタＡにて提供しなくてもよい。
【００４９】
このとき、システム制御装置４０１は、検査室入室中の被検者６の身長や体格に応じた寝台３の移動量を算出する（ステップＳ２０６）。操作者により被検者６が指定された体位で寝台３に寝ていることが確認され、寝台移動指示が操作装置４０８から入力されると（ステップＳ２０７；Ｙｅｓ）、システム制御装置４０１は、寝台移動時の提供情報をモニタＡに送信するとともに、寝台制御装置３０１を制御して寝台３を前後方向、上下方向、左右方向に移動させ、被検者６を適切な撮影位置に搬送する（ステップＳ２０８）。
【００５０】
モニタＡでは、寝台移動時の提供情報を再生する（ステップＳ２０９）。例えば、図７（ｄ）が再生される。
【００５１】
寝台３の移動が完了し、検査開始指示が入力されると（ステップＳ２１０；Ｙｅｓ）、システム制御装置４０１は、検査開始以降の提供情報をモニタＡに送信する（ステップＳ２１１）。モニタＡでは、検査中の提供情報を再生する（ステップＳ２１２）。例えば、図７（ｅ）が再生される。
【００５２】
検査中、造影剤が注入される場合は（ステップＳ２１３；Ｙｅｓ）、システム制御装置４０１は、造影剤注入時の提供情報をモニタＡに送信する（ステップＳ２１４）。モニタＡでは、造影剤注入時の提供情報を再生する（ステップＳ２１５）。例えば、図７（ｆ）が再生される。
【００５３】
その後、検査が終了すると（ステップＳ２１６；Ｙｅｓ）、システム制御装置４０１は、検査終了後の提供情報をモニタＡ、モニタＢにそれぞれ送信する（ステップＳ２１７、ステップＳ２１８）。モニタＡでは、検査終了後のモニタＡ用の提供情報が再生される（ステップＳ２１９）。例えば、図７（ｇ）が再生される。モニタＢでは、検査終了後のモニタＢ用の提供情報が再生される（ステップＳ２２０）。例えば、図８（ｅ）が再生される。
【００５４】
システム制御装置４０１は、以上のステップＳ２０１〜ステップＳ２２０の処理を繰り返し実行し、予定されている全ての被検者６の検査が終了すると、本表示切替処理を終了する。
【００５５】
以上説明したように、本実施の形態の検査支援システム１は、検査室Ｒ１に設置され、被検者６を撮像して医用画像を生成する医用画像撮影装置（スキャナ２）と、被検者６に対して検査に関する情報を提供する情報提供装置（モニタＡ、モニタＢ）と、スキャナ２、モニタＡ、及びモニタＢの動作を制御する操作卓４（システム制御装置４０１）と、を備え、システム制御装置４０１は、スキャナ２において実行する各検査の開始、終了、または検査の流れに連動して、モニタＡ及びモニタＢにて提供する情報の内容を切り替える。
【００５６】
従って、表示情報や音声情報による被検者への説明内容が、検査の流れに沿って切り替えられるため、医師や技師等の操作者による被検者への説明を適切なタイミングで自動再生でき、検査作業の負担を軽減できる。また、説明のミスをなくし、検査の流れをより円滑なものにすることが可能となる。
【００５７】
また、情報提供装置は、図１のモニタＡのように医用画像撮影装置本体に取り付けられていれば、被検者は検査の直前及び直後にも検査に関する情報を確認できるようになる。
また、情報提供装置は、図１のモニタＢのように検査を待つ被検者の待機場所Ｒ３に設置されていれば、検査を待つ被検者は検査を待つ間に検査に関する情報を確認できるようになる。
従って、被検者の検査を実施している間に、別の被検者に対しても検査の説明を提供できるため、検査の流れがより円滑なものとなる。
【００５８】
また、スキャナ２に取り付けられるモニタＡと、検査を待つ被検者の待機場所Ｒ３に設置されるモニタＢと、を含む複数の情報提供装置がある場合に、各情報提供装置における提供情報の内容を異なるものとすれば、個々の被検者に応じた内容と、一般的な内容とを各モニタで分けて表示できるため、個人情報を他人に知らせることなく、検査内容に応じた個別の情報を適切な場所で提供できる。
【００５９】
また、被検者情報に含まれる被検者の体格に関する情報と検査内容情報に含まれる検査部位とから、適切な寝台の位置を算出し、移動するので、操作者は寝台の手動による調整作業を省くことができ、検査における作業負担が軽減する。
【００６０】
以上、本発明に係る検査支援システム及び医用画像撮影装置の好適な実施形態について説明したが、本発明は、上述の実施形態に限定されるものではない。例えば、検査支援システム１において、検査室Ｒ１の外で待つ被検者のための情報提供装置として、待機場所Ｒ３に設置されたモニタＢを一例として示したが、これに限定されず、例えば待機している被検者が携帯する情報端末に提供情報を配信するようにしてもよい。また、検査支援システム１にて被検者が視聴する情報提供装置は、モニタＡ及びモニタＢの２つの限定されず、３つ以上のモニタを備えてもよいし、検査室Ｒ１のモニタＡまたは待機場所Ｒ３のモニタＢのいずれか一方としてもよい。
【００６１】
また、提供情報の切り替えタイミングについても上述の実施形態に限定されない。例えば、検査室Ｒ１の出入口に人の出入りを感知するセンサを設け、被検者が検査室Ｒ１へ入室するタイミングや退室するタイミングで、各モニタでの提供情報を切り替えるようにしてもよい。また、提供情報を切り替えるタイミングを入力する入力装置をシステム制御装置４０１（操作卓４）に設け、医師や技師等の操作者が切替タイミングを入力できる構成としてもよい。また、入力装置を遠隔操作装置とすれば、操作者が検査室Ｒ１と操作室Ｒ２とを行き来する回数を減らすことができ、作業効率が向上し、好適である。
【００６２】
また、提供情報を生成する際、検査システム１では、サーバ９から被検者に関する情報１０を取得して、個々の被検者に応じた提供情報を生成する例を示したが、これに限定されず、被検者に関する情報１０を操作卓４またはスキャナ２の操作部２２にて直接入力するようにしてもよい。
【００６３】
更に、当業者であれば、本願で開示した技術的思想の範疇内において、各種の変更例または修正例に想到し得ることは明らかであり、それらについても当然に本発明の技術的範囲に属するものと了解される。
【符号の説明】
【００６４】
１・・・・・検査支援システム
２・・・・・スキャナ
３・・・・・寝台
４・・・・・操作卓
６・・・・・被検者
２０１・・・Ｘ線管（Ｘ線源）
２０５・・・Ｘ線検出器
２０６・・・データ収集装置
４０１・・・システム制御装置
４０２・・・画像演算装置
４０３・・・記憶装置
５・・・・・表示装置
４０８・・・操作装置
２１・・・・モニタＡ
２２・・・・被検者用操作ボタン
７・・・・・モニタＢ
８・・・・・ネットワーク
９・・・・・サーバ
１０・・・・被検者に関する情報
４１・・・・データベース
４３・・・・表示データファイル
４５・・・・音声データファイル
４７・・・・提供情報の順序
Ｒ１・・・・検査室
Ｒ２・・・・操作室
Ｒ３・・・・待機場所
【図１】
2011177326.tif 000003
【図２】
2011177326.tif 000004
【図３】
2011177326.tif 000005
【図４】
2011177326.tif 000006
【図５】
2011177326.tif 000007
【図６】
2011177326.tif 000008
【図７】
2011177326.tif 000009
【図８】
2011177326.tif 000010
【図９】
2011177326.tif 000011
【図１０】
2011177326.tif 000012